(57)【要約】【課題】冷蔵庫内に食品を収納する容積を減少させず、かつ、悪臭を吸収するために必要な通風性を損なわずに設置することができる脱臭具を提供する。【解決手段】卵ケース状の脱臭具。【選択図】図１
2006052869.tif 000002
【特許請求の範囲】
【請求項１】
卵ケース状の脱臭具
【請求項２】
抗菌効果を有する物質が塗布あるいは混合させていることを特徴とする請求項１に記載の脱臭具
【発明の詳細な説明】
【技術分野】
【０００１】
家庭用及び業務用の冷蔵庫に使用する脱臭具に関する。
【背景技術】
【０００２】
冷蔵庫には食品を数多く収納するため、種々の悪臭が発生する。そのため、しばしば、脱臭具を使用する。一般的には、活性炭を箱詰めしたものや、植物抽出物や界面活性剤などの消臭効果のある物質をゲルにしたものを容器に充填したものがある。一般的ではないが、シート状の消臭具を庫内に貼り付けたり、敷いたりするタイプや（特許文献１）、次亜塩素酸ソーダで悪臭を酸化分解するタイプもある。冷蔵庫の脱臭には冷蔵庫そのものに活性炭などが内蔵されているものもある。
【０００３】
このように多種の冷蔵庫脱臭具が提案され商品化されているが、一般的な活性炭タイプやゲルタイプや酸化分解するタイプは食品収納部の棚に置かれ、容積も必要なことから、食品の収納容積を減少させてしまうという欠点があった。一方、シート状のものは容積を必要としないが、敷くタイプのものは食品容器や皿をその上に置かれて、通気性が損なわれるという欠点があった。
また、冷蔵庫に内蔵されるタイプは冷蔵庫の買い替えの周期約１０年間は取替えができないという欠点があり、現在でも内蔵型と上記の別置きのタイプとの併用が一般的である。
【特許文献１】特開２００１−１８７１２５号
【発明の開示】
【発明が解決しようとする課題】
【０００４】
本発明は、冷蔵庫内に食品を収納する容積を減少させず、かつ、悪臭を吸収するために必要な通風性を損なわずに設置することができる脱臭具を提供することを課題とする。
【課題を解決するための手段】
【０００５】
本発明者は、有機系脱臭剤又は無機系脱臭剤又は植物系脱臭剤又は活性炭などの炭を貼付あるいは混合した紙、不織布又は繊維製品を、卵ケース状の形に成型又は裁断したものを冷蔵庫の卵ケース部に設置することで上記課題を解決できることを見出し、本発明に到達した。
すなわち、本発明は下記のとおりである。
（１）卵ケース状の脱臭具。
（２）抗菌効果を有する物質が塗布あるいは混合させていることを特徴とする（１）に記載の脱臭具。
【発明の効果】
【０００６】
本発明の脱臭具を用いることにより、冷蔵庫内の収納容積を減少させることなく効率的に冷蔵庫内の脱臭を行うことができる。
【発明を実施するための最良の形態】
【０００７】
以下、本発明について、詳しく説明する。
本発明の脱臭具の形状は、卵の輸送ケースのような形で、つまり、卵の形をした半球部を数個から数十個平面シートにより繋げたものである。卵の形をした半球部は図１のように一部穴のあいたような形でも良い。また、単に収納される卵の配列で卵の直径にあわせた穴をあけたものでも脱臭効果を発現させることができる。その場合、直径より小さな穴をあけ、かつ、卵の直径近くまで切り込みを入れることにより、卵を収納できて脱臭効率を上げることが可能である。
シートの材質に、はさみなどで容易に切れる材料を用いれば、冷蔵庫の機種による卵ケース部の形状の違いなどに対応して、使用しやすく切断することができる。また、切りやすく切り込みをつけたり、折れ目を入れたり、破線状の切込みを入れると加工しやすくなる。
【０００８】
本発明の脱臭具は、脱臭剤を含み、好ましくは、脱臭剤は支持部材に支持されている。支持部材の材質は、例えば紙、不織布、繊維製品が挙げられる。紙を使用する場合は、バージンパルプでなくてもよく、再生パルプを使用しても良い。成型方法は、パルプを漉く際に型を利用するのが最も簡単である。シートに熱と水蒸気を当て型押ししてもよく、樹脂との混練シートを用い熱成型しても良い。紙自体にもアンモニア臭などの脱臭効果があるが、脱臭剤をシートに貼付あるいは含浸させると脱臭効果は更に向上するので好ましい。脱臭剤は、活性炭、繊維状活性炭、シリカ、無機系脱臭剤、カテキン、植物抽出物、植物エキス、植物加工品、界面活性剤、有機物系脱臭剤、アスコルビン酸と鉄塩などの組み合わせ型脱臭剤を使用してもよい。脱臭剤と紙、不織布あるいは繊維製品の組合せには、単に含浸させるだけでもよいが、適当な溶媒に脱臭剤を溶解又は分散させ、バインダーとともに紙、不織布あるいは繊維製品に含浸、乾燥させて脱臭剤を固着させる方法のほうが、使用時に脱臭剤の脱落が少なく、効果的でかつ安全性も高い。更に抗菌剤を塗布あるいは混合すると衛生的な効果が増大するので好ましい。
【０００９】
本発明の脱臭具を冷蔵庫に設置する方法としては、冷蔵庫の卵ケース部に本発明品を上向きに設置し、卵をその半球部に入れることもできるし、卵を冷蔵庫の卵ケース部に入れた後に、本発明品を下向きに卵にかぶせるように設置することもできる。上向きに設置した場合は、卵の出し入れの利便性を重視したいときに行い、下向きにかぶせるように設置する場合は、脱臭効果を重視したときなどに行うなど、必要に応じて調整することができる。また、両方の場合を組み合わせても良い。
本発明品は、従来のシートに皿を載せる場合とは異なり、卵がすべて収納されている状態でも、卵と卵の間隔があり、かつ、卵ケース部の下の部分からも通気することが可能であるから、脱臭性能を十分に発揮することができる。また、一般に卵ケース部は冷蔵庫の扉部に設置してあり、使用時にあけたときに感じる悪臭の存在する部分に最も近い。また、扉を閉めている状態で冷気が循環する場合は扉部を上から下への冷気の循環が必ず生じる。そのために、他の冷蔵庫脱臭具が置かれがちな冷蔵庫の奥の部分より庫内の空気の循環に触れる機会が非常に大きい。そのため、効率よく悪臭を脱臭することができる。
【００１０】
本発明品は、冷蔵庫の卵ケース部に設置するため、冷蔵庫に収納されている加工食品などの汁などで汚れて不衛生になることも少ない。また、冷蔵庫の卵ケース部は、汚れた卵を収納することもあり、汚れやすい部分でもあるが、その部分に本発明品を敷くあるいはかぶせて、一定期間ごとに取り替える操作により、冷蔵庫を衛生的に保つことができる。更に本発明品を使用すると、冷蔵庫の卵ケース部での卵への衝撃を緩和することができ、割れなどの事故を防ぐことができる。厚くてクッション性のあるシートを使用すればこの効果は増大する。
【実施例】
【００１１】
以下、実施例を示して本発明を、より具体的に説明する。かかる実施例は、本発明の一態様を示すものであり、この発明を限定するものではなく、本発明の範囲で任意に変更が可能である。
［実施例１］
日本化成製脱臭剤アポライトＬＲ（商品名）１００ｇを１リットルの水に溶解したものをトレー皿に流し込み、そこへ卵輸送用のパルプ成型品２７ｃｍ×１２ｃｍを浸した。全体に含浸させるように上下を変えて脱臭剤が成型品全体に行き渡るようにした後、成型品が崩れないように乾燥させ、卵ケース状の脱臭具を作製した。
【００１２】
［実施例２］
日本化成製脱臭剤アポライト（商品名）１００ｇを１リットルの水に分散したものにバインダーとしてポバール（防腐剤入り）を１０ｇ、除菌剤としてシナネンゼオミック社製ゼオミック（商品名）を２０ｇ加え、それをトレー皿に移した。旭化成製スパンボンド  エルタスＰ０３０７０（商品名）（ポリプロピレン製不織布）２０ｃｍ×３５ｃｍをトレー皿の脱臭剤分散液に浸し、ステンレス板上で乾燥させた。乾燥後、２６ｃｍ×１１ｃｍに切断し、４．６ｃｍの穴を５ｃｍおきに、５個開けた。０．４ｃｍはなして、さらに５個開け、冷蔵庫の卵トレーと同様な位置に穴の開いた脱臭性能を有した不織布脱臭具を作製した。
【００１３】
［実施例３］
エポリオン社製脱臭剤エポリオンＩＭＰ（商品名）１００ｇを１リットルの水に溶解したものをトレー皿に移した。旭化成製スパンボンド  エルタスＰ０３０７０（商品名）（ポリプロピレン製不織布）２０ｃｍ×３５ｃｍをトレー皿の脱臭剤分散液に浸し、ステンレス板上で乾燥させた。乾燥後、２６ｃｍ×１１ｃｍに切断し、４ｃｍの穴を５ｃｍおきに、５個開けた。１．７ｃｍはなして、さらに５個開け、冷蔵庫の卵トレーと同様な位置に穴の開いた脱臭性能を有した不織布脱臭具を作製した。穴にはそれぞれ７ｍｍの切込みを円の縁から放射状に６箇所切込みを入れた。
【００１４】
（脱臭力評価）
上部にサンプル投入口と側部中央に直径１ｃｍ程度の測定用の穴のあいた２０リットルのポリタンクに、実施例で作製したサンプルを５ｃｍの正方形（卵の穴を１つ含んだもの）に切り取り、中央部に置いた。そこに、硫化水素５０ｐｐｍに調整された空気を１分間毎秒５００ｃｃ程度で流し込み、内部の硫化水素濃度を５０ｐｐｍとした。ポリタンクにふたおよびシリコンゴム栓をして密閉し、８時間後の硫化水素濃度を検知管で測定した。硫化水素５０ｐｐｍの代わりにアンモニア濃度２００ｐｐｍに調整された空気を用い同様の測定を行った。実施例１〜３の各サンプルについて、この評価を行った。評価結果を表１に示す。
【００１５】
【表１】
2006052869.tif 000003
【産業上の利用可能性】
【００１６】
本発明は、冷蔵庫内の脱臭具として好適に利用できる。
【図面の簡単な説明】
【００１７】
【図１】本発明の形状の一例を示す模式図である。
【図１】
2006052869.tif 000004